(57)【特許請求の範囲】
【請求項１】
記録媒体の多数のトラックに記録されている記録情報を光学的に読み取る光ピックアップ装置であって、
光源としてのレーザダイオードと、
前記レーザダイオードに駆動電流を供給する駆動手段と、
前記レーザダイオードに供給される前記駆動電流を検出する電流検出手段と、
前記記録媒体の目的トラックに照射される主光線と隣接トラックに照射される一対の副光線とを前記レーザダイオードの射出光から生成する光学手段と、
前記目的トラックと隣接トラックからの反射光を検出し、それぞれに対応する目的信号と隣接信号を生成する光検出手段と、
前記目的信号と前記隣接信号に時間遅延を施すことにより、前記目的信号と前記隣接信号の時間合わせを行う遅延手段と、
前記遅延手段により時間合わせされた前記目的信号と前記隣接信号を演算することにより、前記目的信号に含まれる隣接トラックからのクロストーク成分を除去する演算手段と、
前記電流検出手段の出力に基づいて前記遅延手段の遅延時間を調節する制御手段とを具備することを特徴とする光ピックアップ装置。
【請求項２】
前記電流検出手段は、前記レーザダイオードに直列接続された抵抗に生じる電圧降下に基づいて前記駆動電流を検出することを特徴とする請求項１に記載の光ピックアップ装置。
【請求項３】
前記光学手段は、グレーティングであることを特徴とする請求項１に記載の光ピックアップ装置。
【請求項４】
前記レーザダイオードの射出光の強度を検出する手段を更に備え、
前記駆動手段は前記検出した射出光の強度が一定となるように前記レーザダイオードに駆動電流を供給することを特徴とする請求項１に記載の光ピックアップ装置。
【請求項５】
光源としてのレーザダイオードと、
前記レーザダイオードに駆動電流を供給する駆動手段と、
前記レーザダイオードに供給される前記駆動電流を検出する電流検出手段と、
記録媒体の目的トラックに照射される主光線と隣接トラックに照射される一対の副光線とを前記レーザダイオードから生成する光学手段と、
前記目的トラックと隣接トラックからの反射光を検出し、それぞれに対応する目的信号と隣接信号を生成する光検出手段とを備え、
前記記録媒体のトラックに記録されている記録情報を光学的に読み取る光ピックアップ装置におけるクロストーク除去方法であって、
前記目的信号と前記隣接信号に時間遅延を施すことにより、前記目的信号と前記隣接信号の時間軸を合わせる遅延工程と、
前記遅延手段により時間軸が合わせられた前記目的信号と前記隣接信号を演算することにより、前記目的信号に含まれる隣接トラックからのクロストーク成分を除去する演算工程と、
前記電流検出手段の出力に基づいて前記遅延手段の遅延時間を調節する制御工程とを備えたことを特徴とするクロストーク除去方法。
【請求項６】
前記光学手段はグレーティングであり、前記光ピックアップ装置は前記レーザダイオードの射出光の強度を検出する手段を更に備えており、前記駆動手段は前記検出した射出光の強度が一定となるように前記レーザダイオードに駆動電流を供給することを特徴とする請求項５に記載のクロストーク除去方法。
【発明の詳細な説明】
【０００１】
【発明の属する技術分野】
本発明は、光ディスク等の記録媒体から記録情報を光学的に読み取る光ピックアップ装置に関し、特に、光学的に読み取った信号中から、隣接トラックからのクロストーク成分を除去するクロストーク除去手段を備えた光ピックアップ装置に関するものである。
【０００２】
【従来の技術】
従来、この種の光ピックアップ装置には、記録媒体の高密度記録化に伴う隣接トラックからのクロストークを除去するために、クロストーク除去手段が設けられている。従来のクロストーク除去手段としては、特開平６−３４２５２２号公報、特開平１０−３６７９号公報、本出願人が先に行った特願平９−２７４２２０号及び特願平９−３０８４１１号に示されたものがある。
【０００３】
これらの従来技術では、記録情報を読み取るための主ビームと、トラッキングサーボを行うための一対の副ビームとを記録媒体に照射する３ビーム法が適用されている。そして、主ビームで記録情報を読み取る際の隣接トラックからのクロストークの影響を除去するために、クロストーク除去手段が設けられている。
【０００４】
このクロストーク除去手段は、主ビームの反射光を検出することで得られる第１の光検出信号と一方の副ビームの反射光を検出することで得られる第２の光検出信号とを光ディスクの走査線速度に対応して時間遅延させることにより、光検出した時点を一致させるように位相調整し、更に、これらの時間遅延の施された第１の光検出信号及び第２の光検出信号と、他方の副ビームの反射光を検出することで得られる第３の光検出信号とを加減算処理することによって、クロストーク成分を相殺するようにしている。
【０００５】
【発明が解決しようとする課題】
ところで、上記従来のクロストーク除去手段は、主ビームと副ビームとが記録媒体に対して予め決められた所定間隔でスポット照射されることを前提にして、第１，第２の光検出信号を時間遅延することにより、第１〜第３の光検出信号の位相合わせを行っている。したがって、主ビームと副ビームが常に所定間隔でスポット照射される場合には、光ディスクの走査線速度に対応して第１〜第３の光検出信号の位相を一致させることができるため、上記の加減算処理によってクロストーク成分を効果的に除去することが可能である。
【０００６】
しかし、主ビームと副ビームとのスポット照射位置が変動した場合には、光ディスクの走査線速度に対応して時間遅延を行うと、第１〜第３の光検出信号間に位相ズレが生じることになるため、上記の加減算処理を行ってもクロストーク成分を効果的に除去することができない場合があった。
【０００７】
例えば、３ビーム法を適用した光ピックアップ装置では、レーザダイオードから射出される光をグレーティングに通すことで、０次光と±１次光を発生させ、０次光を主ビームに、±１次光を副ビームにそれぞれ割り当るようにしている。しかし、レーザダイオードの温度依存性に起因して射出光の波長が変動した場合に、上記のスポット照射位置が変動することになり、その結果、上記の第１の光検出信号と第２の光検出信号を時間遅延させると位相ズレが生じることとなり、クロストーク成分を相殺することができない場合があった。
【０００８】
すなわち、光ピックアップ装置に適用される一般的なレーザダイオードの光出力が一定のときの動作電流Ｉopと波長λは、図６及び図７の特性図に示すように、温度に依存して変動するため、上記従来のクロストーク除去手段では、そのクロストークの抑制効果が十分に発揮されない場合があった。
【０００９】
【課題を解決するための手段】
本発明は、このような上記従来の課題を克服するために成されたものであり、記録媒体の多数のトラックに記録されている記録情報を光学的に読み取る光ピックアップ装置であって、光源としてのレーザダイオードと、上記レーザダイオードに駆動電流を供給する駆動手段と、上記レーザダイオードに供給される上記駆動電流を検出する電流検出手段と、上記記録媒体の目的トラックに照射される主光線と隣接トラックに照射される一対の副光線とを上記レーザダイオードの射出光から生成する光学手段と、上記目的トラックと隣接トラックからの反射光を検出し、それぞれに対応する目的信号と隣接信号を生成する光検出手段と、上記目的信号と上記隣接信号に時間遅延を施すことにより、上記目的信号と上記隣接信号の時間合わせを行う遅延手段と、上記遅延手段により時間合わせされた上記目的信号と上記隣接信号を演算することにより、上記目的信号に含まれる隣接トラックからのクロストーク成分を除去する演算手段と、上記電流検出手段の出力に基づいて上記遅延手段の遅延時間を調節する制御手段とを備える構成とした。
【００１０】
かかる構成によると、レーザダイオードの射出光の波長が変動し、それに伴って目的トラックと隣接トラックにそれぞれ照射される主光線と一対の副光線の照射位置との間隔が変動した場合に、レーザダイオードの射出光の波長変動に応じた変化が電流検出手段によって検出される。この電流検出手段で検出される変化は、主光線と一対の副光線の照射位置との間隔の変動と相関関係があり、この結果、主光線と一対の副光線の照射位置との間隔の変動に応じて、遅延手段の遅延時間が設定される。
【００１１】
このため、演算手段には、時間合わせが行われた目的信号と隣接信号が供給されることとなり、これらの時間合わせが行われた目的信号と隣接信号を演算することによって、隣接トラックからのクロストーク成分が除去された目的信号が生成される。
【００１２】
また、本発明は、光源としてのレーザダイオードと、上記レーザダイオードに駆動電流を供給する駆動手段と、上記レーザダイオードに供給される上記駆動電流を検出する電流検出手段と、記録媒体の目的トラックに照射される主光線と隣接トラックに照射される一対の副光線とを上記レーザダイオードから生成する光学手段と、上記目的トラックと隣接トラックからの反射光を検出し、それぞれに対応する目的信号と隣接信号を生成する光検出手段とを備え、上記記録媒体のトラックに記録されている記録情報を光学的に読み取る光ピックアップ装置におけるクロストーク除去方法であって、上記目的信号と上記隣接信号に時間遅延を施すことにより、上記目的信号と上記隣接信号の時間軸を合わせる遅延工程と、上記遅延手段により時間軸が合わせられた上記目的信号と上記隣接信号を演算することにより、上記目的信号に含まれる隣接トラックからのクロストーク成分を除去する演算工程と、上記電流検出手段の出力に基づいて上記遅延手段の遅延時間を調節する制御工程とを備えることとした。
【００１３】
かかる方法によっても、上記の光ピックアップ装置の発明と同様に、レーザダイオードの射出光の波長が変動し、それに伴って目的トラックと隣接トラックにそれぞれ照射される主光線と一対の副光線の照射位置との間隔が変動した場合に、レーザダイオードの射出光の波長変動に応じた変化が電流検出手段によって検出される。この電流検出手段で検出される変化は、主光線と一対の副光線の照射位置との間隔の変動と相関関係があり、この結果、主光線と一対の副光線の照射位置との間隔の変動に応じて、遅延工程の遅延時間が設定される。
【００１４】
このため、演算工程では、時間合わせが行われた目的信号と隣接信号を演算することとなり、これらの時間合わせが行われた目的信号と隣接信号を演算することによって、隣接トラックからのクロストーク成分が除去された目的信号が生成される。
【００１５】
【発明の実施の形態】
以下、本発明の実施の形態を図１ないし図５を参照して説明する。尚、ＣＤ（コンパクトディスク）やＤＶＤ（ディタルビデオディスクまたはデジタルバーサタイルディスク）等の光ディスクから記録情報を読み取るための光ピックアップ装置について説明する。
【００１６】
図１は、本実施形態に係る光ピックアップ装置に備えられている光学系の構成を模式的に示す構成図である。
【００１７】
同図において、この光学系は、光源であるレーザダイオードＬＤと、レーザダイオードＬＤから射出される光を回折するグレーティングＧＴと、グレーティングＧＴで生成される０次光と±１次光を集光するコリメータレンズＣＬ、及びコリメータレンズＣＬからの光を集束することで、０次光から主光線（以下、主ビームという）Ｂc、±１次光から１対の副光線（以下、副ビームという）Ｂi，Ｂoを生成する対物レンズＯＬを備えて構成されている。
【００１８】
かかる構成によると、光ディスクの目的トラック上に主ビームＢcによる微細な主スポットＰcが結ばれ、目的トラックに隣接する隣接トラック上に、副ビームＢi，Ｂoによる副スポットＰi，Ｐoがそれぞれ結ばれる。
【００１９】
すなわち、レーザダイオードＬＤから、後述する目的値ＶRに従って本来的に決められている波長λの光が射出される場合（理想状態）には、図４（ａ）に示すように、主スポットＰcを中心にして副スポットＰiとＰoが、光ディスクの回転方向θtに沿って共に等しい間隔ｄで結ばれる。ここで、副スポットＰiがラジアル方向θrの内側、副スポットＰiがラジアル方向θrの外側に結ばれる。  そして、主ビームＢcと副ビームＢi，Ｂoがそれぞれ目的トラックと隣接トラックで反射あるいは回折されることによって生じる戻り光を、対物レンズＯＬとコリメータレンズＣＬ及びダイクロイックミラー等（図示略）を介して、図２中に示す光検出器２，３，４が受光することにより、記録情報の読み取りが行われる。
【００２０】
ここで、上記理想状態における主スポットＰcと副スポットＰi，Ｐoの間隔ｄを具体的に説明する。本実施形態では、レーザダイオードＬＤの波長λを４１０ｎｍ、グレーティングＧＴのピッチΔＰを３２μｍ、レーザダイオードＬＤの射出端からグレーティングＧＴまでの間隔ｖを５．４８ｍｍ、コリメータレンズＣＬの焦点距離ｆCLを１１ｍｍ、対物レンズＯＬの焦点距離ｆOLを３．３ｍｍ、コリメータレンズＣＬと対物レンズＯＬによる光学倍率βを約３．３３に設定している。尚、図１中のＩoとＩiは、±１次光の仮想発光点を示している。
【００２１】
この結果、主スポットＰcと副スポットＰi，Ｐoの間隔ｙは、次式（１）に示す理論式から、
ｙ＝（λ／ΔＰ）×（ｖ／β）≒２０．９２μｍ         …（１）
となっている。
【００２２】
ここで、上記式（１）で求められる間隔ｙは、図４（ａ）に示したように、光ディスクの回転方向θtに対して斜め方向に結ばれる主スポットＰcと副スポットＰi，Ｐoの間隔であって、回転方向θtに沿った間隔ｄとは若干異なるが、トラックピッチが間隔ｄに比べて極めて小さいことを考慮すると、ｄ＝ｙとしても、実用上はクロストーク除去精度に殆ど影響を及ぼさない。ちなみに、本実施形態では、トラックピッチは、約０．３７μｍとなっている。
【００２３】
次に、クロストーク除去装置の構成を図２及び図３を参照して説明する。図２は、このクロストーク除去装置１の全体構成を示すブロック図である。
【００２４】
図２において、主スポットＰcからの戻り光を検出する第１の光検出器２と、副スポットＰiからの戻り光を検出する第２の光検出器３と、副スポットＰoからの戻り光を検出する第３の光検出器４と、各光検出器２，３，４から出力される目的信号Ｓcと隣接信号Ｓi，Ｓo をそれぞれ入力する前置回路５，６，７と、前置回路５，６，７からそれぞれ出力される目的データＤcと隣接データＤi，Ｄoに基づいて、隣接トラックからのクロストークを除去するクロストーク除去回路２２とが備えられている。
【００２５】
前置回路５，６，７は何れも同じ構成となっている。そこで、前置回路５の構成を代表して述べると、目的信号Ｓc中から記録情報のアナログ信号成分だけを抽出し、所要の等価を行って出力するアナログイコライザ５ａと、アナログイコライザ５ａの出力を所定ビットのデジタルデータに変換するＡ／Ｄ変換器５ｂと、そのデジタルデータ中の直流成分を除去することで、記録情報を表す目的データＤcを生成する直流成分除去回路５ｃが備えらている。
【００２６】
更に、目的データＤcの位相成分を位相検出回路５ｄで抽出して、この位相成分をローパスフィルタ５ｅとＶＣＯ（ボルテージコントロールオシレータ）回路５ｆを通じてＡ／Ｄ変換器５ｂにサンプリングクロックとして供給することにより、適正な目的データＤｃが得られるように、サンプリングクロックの周波数及び位相が帰還制御されるようになっている。
【００２７】
クロストーク除去回路２２は、遅延時間制御回路８と、遅延手段としてのＦＩＦＯ（ファーストインファーストアウト）メモリ９，１０、演算手段としての加減算回路１１、可変フィルタ１２，１３、及び可変フィルタ１２，１３のフィルタ特性を調整するコントローラ回路１４，１５を備えて構成されている。
【００２８】
遅延時間制御回路８は、レーザダイオードＬＤを駆動している駆動回路１６から出力されるレーザダイオードＬＤの駆動電流を表す検出信号Ｓdを、Ａ／Ｄ変換器１７を介して入力し、その検出信号Ｓdの値に応じて、ＦＩＦＯメモリ９，１０のそれぞれの遅延時間τ１，τ２を調整する。
【００２９】
すなわち、駆動回路１６には、図３に示すＡＰＣ回路（自動出力制御回路）が備えられており、レーザダイオードＬＤから射出される光の一部を検出し、その発光強度に応じた電流を発生するフォトダイオードＰＤと、フォトダイオードＰＤに流れる電流ＩPDに比例した電圧ＶPDを発生する抵抗１６ａと、電圧ＶPDと目標値ＶRとの差分値を求める差動増幅器１６ｂとを有すると共に、その差分値がゼロとなるように駆動電流Ｉdを増幅器１６ｃとローパスフィルタ１６ｄ及び抵抗１６ｅを介してレーザダイオードＬＤに供給する構成を有している。この構成により、レーザダイオードＬＤには、その発光強度が一定となるように駆動電流Ｉｄが供給される。
【００３０】
そして、抵抗１６ｅに発生する電圧降下を差動増幅器１６ｆが検出することで、駆動電流Ｉdの値を表す検出信号ＳdをＡ／Ｄ変換器１７を介して遅延時間制御回路８に供給し、遅延時間制御回路８がこの検出信号Ｓdに基づいてＦＩＦＯメモリ９，１０のそれぞれの遅延時間τ１，τ２を調整する。
【００３１】
ＦＩＦＯメモリ９は、図４（ａ）に示した理想状態では、遅延時間制御回路８の指示に従って、間隔ｄに相当する時間ｔを遅延時間τ１として設定し、これにより、目的データＤcを遅延時間ｔだけ遅らせて加減算回路１１に供給する。
【００３２】
ＦＩＦＯメモリ１０は、上記理想状態では、遅延時間制御回路８の指示に従って、間隔２×ｄに相当する時間２×ｔを遅延時間τ２として設定することにより、隣接データＤiを遅延時間２×ｔだけ遅らせて、ローパスフィルタ１２を介して加減算回路１１に供給する。
【００３３】
ここで、上記の理想状態では、レーザダイオードＬＤに供給される駆動電流Ｉdは、レーザダイオードＬＤが予め設定した温度における所定値となり、これに伴って射出光は予め設定された波長λとなり、更に、主スポットＰcと副スポットＰi，Ｐoの間隔ｄが波長λに対応して決まる。更に、検出信号Ｓdは駆動電流Ｉdの値を表しているため、間隔ｄとの相関関係も有している。そこで、遅延時間制御回路８は、検出信号Ｓdに基づいて、間隔ｄを光ディスクの走査線速度との関係で時間換算し、それによって得られる時間ｔ（＝ｄ／走査線速度）をＦＩＦＯメモリ９の遅延時間τ１とし、時間２×ｔをＦＩＦＯメモリ１０の遅延時間τ２として設定している。
【００３４】
加減算回路１１は、可変フィルタ１２を介してＦＩＦＯメモリ９から遅延時間τ１だけ遅れて出力される目的データＤc（τ１）と、可変フィルタ１３を介してＦＩＦＯメモリ１０から遅延時間τ２だけ遅れて出力される隣接データＤi（τ２）と、前置回路７から時間遅延が施されることなく出力される隣接データＤoとを次式（２）にしたがって加減算することにより、隣接トラックからのクロストークの除去された目的データＤc’を生成する。
Ｄc’＝Ｄc（τ１）−Ｄi（τ２）−Ｄo      …（２）
ここで、コントローラ１４，１５は、それぞれＦＩＦＯメモリ１０，９で遅延後の隣接データＤi，Ｄoと目的データＤc’との相関を計算することによって、目的データＤc’に含まれるそれぞれ内周側、外周側の隣接トラックからのクロストーク成分を検出し、クロストークの残留量が最小となるようにそれぞれフィルタ１２，１３のフィルタ係数を設定する。
【００３５】
このフィルタ係数は、一種の減衰特性を表しており、設定されたフィルタ係数は光ディスクのチルト、すなわち光ピックアップ装置の光軸に対するラジアル方向の傾きを反映している。そして、それぞれ内周側、外周側のフィルタ係数の設定信号が演算回路１９に供給され、ここで両者の差分に応じたチルトエラー信号Ｓeが生成される。尚、具体例としては、フィルタ係数の設定信号としてフィルタ係数自体を用い、演算回路１９にてこの係数間の差分に応じて生成したＰＷＭ（Pulse Width Modulation）波を低域ろ波することで、チルトエラー信号Ｓeを生成することができる。このチルトエラー信号Ｓeは、光ピックアップ装置の光軸を光ディスクのチルトに追従させて駆動制御するために使用される。
【００３６】
目的データＤc’は、ビタビ複号回路２０及び８／１６復調回路２１によって復調され、目的トラックに記録されている記録情報を有する再生データＤとされる。
【００３７】
次に、かかる構成を有する本実施形態の動作を図４及び図５を参照して説明する。
【００３８】
まず、上記の理想状態では、図４（ａ）に示すように、主スポットＰcと副スポットＰi，Ｐoが予め決められた間隔ｄで配置される。更に、ＦＩＦＯメモリ９の遅延時間τ１は、この間隔ｄに対応する時間ｔに設定され、ＦＩＦＯメモリ１０の遅延時間τ２は、間隔２×ｄに比例した時間２×ｔに設定される。
【００３９】
この状態で、記録情報の読み出しが行われると、加減算回路１１には、遅延時間τ１＝ｔだけ時間遅延された目的データＤc（τ１）と、遅延時間τ２＝２×ｔだけ時間遅延された隣接データＤi（τ２）と、時間遅延の施されない隣接データＤoが供給される。
【００４０】
このため、図４（ｂ）に示すように、主スポットＰcと副スポットＰi，Ｐoが光ディスクの回転方向θtに揃っている（位相が合っている）状態で、光検出器２，３，４が同時に光検出を行ったのと等価な状態となり、更に、加減算回路１１が上記式（２）に基づいて、これらの目的データＤc（τ１）と隣接データＤi（τ２），Ｄoを加減算することにより、隣接トラックからのクロストークが除去された目的データＤc’が生成されることになる。
【００４１】
次に、主スポットＰcと副スポットＰi，Ｐoが予め決められた位置からずれた場合の動作を説明する。従来技術で説明したように、レーザダイオードＬＤの温度依存性に起因して、その射出光の波長λが不可避的に変動すると、一例として図５（ａ）に示すように、主スポットＰcと副スポットＰi，Ｐoの間隔が、ｄからｄ＋Δｄに変化することとなる。尚、間隔の変動分Δｄは、波長λの変動に応じてプラスの値にもマイナスの値にもなる。
【００４２】
このように主スポットＰcと副スポットＰi，Ｐoの間隔がｄ＋Δｄに変化した場合には、遅延時間制御回路８が、駆動回路１６から出力される検出信号Ｓdに基づいて、ＦＩＦＯメモリ９，１０の遅延時間τ１，τ２を可変調整することにより、加減算回路１１に供給される目的データＤc（τ１）と隣接データＤi（τ２）及び隣接データＤoの時間合わせが行われる。
【００４３】
すなわち、主スポットＰcと副スポットＰi，Ｐoの間隔ｄ＋Δｄに変動している場合には、レーザダイオードＬＤの駆動電流Ｉdが変動しており、それに伴って検出信号Ｓdも変動している。更に、主スポットＰcと副スポットＰi，Ｐoの間隔の変動と、検出信号Ｓdの変動との間には、一定の相関関係がある。このため、遅延時間制御回路８が検出信号Ｓdに基づいて、ＦＩＦＯメモリ９，１０を制御することにより、ＦＩＦＯメモリ９は、間隔ｄ＋Δｄに比例した時間ｔ＋Δｔが遅延時間τ１として設定され、ＦＩＦＯメモリ１０は、間隔２×（ｄ＋Δｄ）に比例した時間２×（ｔ＋Δｔ）が遅延時間τ２として設定される。
【００４４】
この結果、図５（ｂ）に示すように、主スポットＰcと副スポットＰi，Ｐoが光ディスクの回転方向θtに揃っている（位相が合っている）状態で、光検出器２，３，４が同時に光検出を行ったのと等価な状態が得られることとなり、加減算回路１１が上記式（２）に基づいてこれらの目的データＤc（τ１）と隣接データＤi（τ２），Ｄoを加減算することにより、隣接トラックからのクロストークが除去された目的データＤc’が生成されることとなる。
【００４５】
このように、本実施形態によれば、レーザダイオードＬＤの射出光の波長が変動し、それによって主スポットＰcと副スポットＰi，Ｐoの間隔が変動した場合でも、レーザダイオードＬＤの駆動電流Ｉdの変化に応じて、ＦＩＦＯメモリ９，１０の遅延時間τ１，τ２を調整するようにしたので、主スポットＰcと副スポットＰi，Ｐoの間隔に対する走査時間と、ＦＩＦＯメモリ９，１０の遅延時間τ１，τ２とを常に一定の時間関係に設定することができる。このため、隣接トラックからのクロストークを効果的に除去することができる。
【００４６】
尚、本実施形態では、光ディスクを対象とする光ピックアップ装置について説明したが、本発明はこれに限定されるものではなく、トラッキングサーボ等が必要な記録媒体全般に適用できるものである。
【００４７】
また、時間遅延手段としてＦＩＦＯメモリを適用する場合を説明したが、これに代えて、ランダムアクセスメモリや、電荷結合デバイス（ＣＣＤ）を用いた遅延素子や、多段のシフトレジスタ等、情報を一時的に保持し得る他のデバイスを適用してもよい。
【００４８】
また、レーザダイオードＬＤの駆動電流Ｉdを抵抗１６ｅの電圧降下として検出する場合を説明したが、これに代えて、駆動電流Ｉdに比例した電流を発生させるカレントミラー回路や、駆動回路１６中のＡＰＣ回路等に予め設けられている電流検出用トランジスタを利用する等、他の検出手段を適用してもよい。
【００４９】
【発明の効果】
以上説明したように本発明によれば、光源としてのレーザダイオードの波長が変動するのに伴って、目的トラックと隣接トラックにそれぞれ照射される主光線と一対の副光線の照射位置が変動しても、レーザダイオードの駆動電流の変化に基づいて、目的信号と隣接信号との時間合わせのための遅延時間の調整を行うようにしたので、これらの時間合わせが行われた目的信号と隣接信号を演算することによって、隣接トラックからのクロストーク成分を除去することができる。
【図面の簡単な説明】
【図１】本実施の形態の光ピックアップ装置に備えられている光学系の構成を模式的に示す構成図である。
【図２】本実施の形態の光ピックアップ装置に備えられているクロストーク除去装置の構成を示すブロック図である。
【図３】レーザダイオードの駆動電流を検出するための回路を示す回路図である。
【図４】光ディスクのトラックに照射される主パターンと副パターンの、理想状態における位置関係を示す説明図である。
【図５】光ディスクのトラックに照射される主パターンと副パターンの、理想状態でない場合における位置関係を示す説明図である。
【図６】レーザダイオードにおける動作電流の温度依存性を示す特性図である。
【図７】レーザダイオードにおける波長の温度依存性を示す特性図である。
【符号の説明】
ＬＤ…レーザダイオード
ＧＴ…グレーティング
ＣＬ…コリメータレンズ
ＯＬ…対物レンズ
ＰＤ…フォトダイオード
Ｐc…主パターン
Ｐi，Ｐo…副パターン
Ｂc…主光線（主ビーム）
Ｂi，Ｂo…副光線（副ビーム）
２，３，４…光検出器
８…遅延時間制御回路
９，１０…ＦＩＦＯメモリ
１１…加減算器
１６…駆動回路
１６ａ，１６ｅ…抵抗
１６ｂ，１６ｆ…差動増幅器
１６ｄ…ローパスフィルタ
【図１】
0003667111.tif 000002
【図２】
0003667111.tif 000003
【図３】
0003667111.tif 000004
【図４】
0003667111.tif 000005
【図５】
0003667111.tif 000006
【図６】
0003667111.tif 000007
【図７】
0003667111.tif 000008